(57)【要約】【課題】ベルト体を有し、扉の開動作でベルト体表面が露出する構成の画像形成装置において、扉の開動作によってベルト体表面を保護する画像形成装置を提供すること。【解決手段】搬送路25と、露光手段６と、プロセスカートリッジａ〜ｄと、定着手段５と、中間転写ベルト41と、装置下部を支持する枠体30と、枠体30に配設されるヒンジ101、102によって回動する扉10と、を有する画像形成装置において、扉10には、扉10が閉じている状態ではベルト体41から退避した位置にあり、扉10が開いている状態ではベルト体41を保護する位置に移動する保護部材103を有することを特徴とする。【選択図】  図１
2006139068.tif 000002
【特許請求の範囲】
【請求項１】
転写材を搬送する搬送路と、露光手段と、画像形成部と、定着手段と、ベルト体と、装置下部を支持する枠体と、該枠体に対して開閉する扉と、を有する画像形成装置において、
前記扉には、前記扉が閉じている状態では前記ベルト体から退避した位置にあり、前記扉が開いている状態では前記ベルト体を保護する位置に移動する保護部材を有することを特徴とする画像形成装置。
【請求項２】
前記扉に前記ベルト体を配置したことを特徴とする請求項１に記載の画像形成装置。
【請求項３】
前記露光手段は前記画像形成部の下部に配置され、前記画像形成部は前記ベルト体の下部に配置されることを特徴とする請求項１又は２に記載のいずれかに記載の画像形成装置。
【請求項４】
前記扉は複数あり、前記搬送路を正面に見た位置を前にしたとき、前記複数の扉のうち前記定着手段および搬送手段を含む前扉が、画像形成装置下部を回動中心として画像形成装置前側に開閉可能な構成であることを特徴とする請求項３に記載の画像形成装置。
【請求項５】
前記扉は複数あり、前記定着手段は前記枠体側に固定され、前記搬送路を正面に見た位置を前にしたときに、搬送手段を含む前扉が、画像形成装置下部を回動中心として画像形成装置前側に開閉可能な構成であることを特徴とする請求項３に記載の画像形成装置。
【請求項６】
前記保護部材の保護する領域は、前記ベルト体が突出する外側端部近傍であることを特徴とする請求項１乃至５のいずれかに記載の画像形成装置。
【請求項７】
前記保護部材に、前記扉が開状態と閉状態で異なる表示を示すラベルを貼付したことを特徴とする請求項６に記載の画像形成装置。
【請求項８】
前記保護部材が、前記ベルト体を保護する位置において、前記保護部材の前記ベルト体側の面に緩衝部材を配設されることを特徴とする請求項６又は７のいずれかに記載の画像形成装置。
【請求項９】
前記ベルト体は、感光体ベルト、中間転写ベルト又は転写材を搬送する転写材搬送ベルトのいずれかであることを特徴とする請求項１乃至８のいずれかに記載の画像形成装置。
【発明の詳細な説明】
【技術分野】
【０００１】
本発明は、転写材の搬送ベルト又は中間転写体ベルト等のベルト体を有する画像形成装置に関する。
【背景技術】
【０００２】
従来、複写機、プリンタ、ファックス等の画像形成装置は、メンテナンスを容易にするため、各ユニットが着脱可能な構成となっている。これらのユニット類は、画像形成装置の開閉扉を開けることでアクセス可能となるのが通常である。
【０００３】
ここで、開閉扉が開位置にあるとき、感光体ドラムや転写ローラなどが露出していると、ＪＡＭ（紙詰まり）処理時などにユーザが不意に傷つけたりしてしまう恐れがある。そのような事故を防ぐために、転写ローラに保護シャッタを設けたものがある（例えば、特許文献１参照）。
【０００４】
ここで特許文献１に示した構成は、中間転写ベルトを用いない形式の画像形成装置であるが、中間転写ベルト等の比較的大きなユニットは、サービスマンが交換するため保護シャッタがないのが通常である。また、従来の画像形成装置ではベルト体の交換時にはレバー等による引き出し構成をとっているため、開閉扉の開動作のみではベルト体は露出しなかった。
【０００５】
ところで近年、ＪＡＭ処理やベルト体の交換のようなメンテナンスを含めた操作性向上のため、及びコストの削減を図るため、画像形成装置が提案されている（例えば、特許文献２参照）。
【０００６】
特許文献２に示した画像形成装置は、短縦パスで中間転写ベルトの下に作像ユニットがある。このように構成すると、ＦＰＯＴ（ファーストプリントアウトタイム）が速いという利点がある。また、開閉扉を開いた状態でベルト体が露出し、ベルト体を取り出せる状態になる。このため、ベルト体の交換性が向上し、かつ引き出しレール等のスペースを排除することで、より省スペースとなる利点がある。
【０００７】
【特許文献１】特開平１１−２８８２０９
【特許文献２】特開２００４−２９２１１（図４）
【発明の開示】
【発明が解決しようとする課題】
【０００８】
しかしながら、特許文献２のように、開閉扉の開動作のみで中間転写ベルト等のベルト体が取り出せる状態になると、扉を開いた時にベルト体が露出することとなる。ここで、ユーザが扉を開閉する際に、誤ってベルト体に触れてベルト体を傷つけるおそれがある。
【０００９】
本発明の目的は、ベルト体を有し、扉の開動作でベルト体表面が露出する構成の画像形成装置において、扉の開動作によってベルト体表面を保護する画像形成装置を提供することである。
【課題を解決するための手段】
【００１０】
前記目的を達成するための本発明に係る代表的な構成は、搬送路と、露光手段と、画像形成部と、定着手段と、ベルト体と、装置下部を支持する枠体と、該枠体に配設されるヒンジによって回動する扉と、を有する画像形成装置において、前記扉には、前記扉が閉じている状態では前記ベルト体から退避した位置にあり、前記扉が開いている状態では前記ベルト体を保護する位置に移動する保護部材を有することを特徴とする。
【発明の効果】
【００１１】
以上の構成によれば、ベルト体を有し、扉の開動作でベルト体表面が露出する構成の画像形成装置において、扉の開動作によってベルト体表面を保護することが出来る。
【発明を実施するための最良の形態】
【００１２】
〔第１実施形態〕
図を用いて本発明の第１実施形態を説明する。説明にあたっては、まず画像形成装置について概略を説明し、その後、特徴的な実施形態を説明する。
【００１３】
（画像形成装置及び画像形成プロセス）
図１に示すように、画像形成装置は、例えば、イエロー、マゼンタ、シアン、ブラックの各色のトナー像を形成する、平行に配置された４つの画像形成部としてのプロセスカートリッジａ、ｂ、ｃ、ｄを有する。また、各画像形成部は、像担持体としての感光体ドラム１（１ａ、１ｂ、１ｃ、１ｄ）と、感光体ドラム１の上部に、感光体ドラム１を縦断する態様で配置された中間転写ベルト（ベルト体）40を有する。
【００１４】
感光体ドラム１の周囲には、それぞれ不図示の帯電手段、現像手段、クリーニング手段等のプロセス手段が配置される。それのプロセス手段が、感光体ドラム１と共にプロセスカートリッジａ、ｂ、ｃ、ｄとして一体的にユニット化されている。
【００１５】
画像形成プロセスを説明する。まず、感光体ドラム１を、それぞれのプロセスカートリッジに配設されている帯電手段により一様に帯電する。次に感光体ドラム１上に、色分解したイエロー、マゼンタ、シアン、ブラックの各色の走査光を露光手段６により露光する。すると、感光体ドラム１にそれぞれイエロー、マゼンタ、シアン、ブラックの静電潜像が形成される。そして、それぞれの静電潜像に対して、現像手段により現像を行う。これにより、感光体ドラム１上にイエロー、マゼンタ、シアン、ブラックのトナー像が形成される。
【００１６】
現像が行なわれたトナー像は、感光体ドラム１の回転に伴い、感光体ドラム１と中間転写ベルト41とが当接する一次転写部位に到達する。すると、各感光体ドラム１（１ａ、１ｂ、１ｃ、１ｄ）に対向して配設される一次転写ローラ２（２ａ、２ｂ、２ｃ、２ｄ）に対して、電装基板から一次転写バイアスが印加される。このバイアスによって、感光体ドラム１上のトナー像は、中間転写ベルト41へ順次転写される。
【００１７】
一方、前述の一次転写部位に搬送される転写材Ｐは、給送カセット４に収納されている。給送カセット４は、図中矢印右方向Ａに引き出し可能な構成である。引き出すことにより、例えば、転写材Ｐの補給、給送カセット４内のジャム時のジャム処理等を行うことが可能である。
【００１８】
転写材Ｐは、給送カセット４よりピックアップローラ８により１枚ずつ送り出される。転写材Ｐは、搬送路25を通ってレジストローラ９で、感光体ドラム１の回転にタイミングを合わされた後、転写材Ｐを二次転写ローラ３と中間転写ベルト41で構成されるニップ部に搬送される。搬送される過程で、転写材Ｐ上には、各感光体ドラム１（１ａ、１ｂ、１ｃ、１ｄ）上のトナー像が中間転写ベルト41上から転写材Ｐへと重畳的に転写される。
【００１９】
トナー像が転写された転写材Ｐは、定着手段５に搬送される。定着手段５では熱および圧力を受けてトナー像が転写材Ｐに溶融混色して転写材Ｐに定着固定される。転写材Ｐ上にフルカラーのプリント画像が形成された後、定着手段５の下流に設けられた排出手段21によって、排出トレイ７に転写材Ｐが排出される。
【００２０】
（特徴的な構成）
本発明の画像形成装置に係る、特徴的な構成について説明する。まず、図１乃至図３を用いて、画像形成装置の筐体の構成、画像形成装置の扉10、20の開閉に伴い、中間転写ベルト41の保護シャッタ（保護部材）103の動きを説明する。次に、図１０乃至図１２を用いて、保護シャッタ103の詳細な動作について説明する。
【００２１】
図１は画像形成装置の全体を説明する断面図であり、図２は画像形成装置の前扉を開いた時の説明図であり、図３は画像形成装置の前扉及び上扉を開いた時の説明図である。
【００２２】
（画像形成装置の筐体の構成）
図１に示すように、画像形成装置の筐体としては、装置下部において、プロセスカートリッジ、露光手段６、給送カセット４等が組み付けられる枠体30と、装置前部において、搬送路25、定着手段５が配設される前扉20と、装置後方の上部において、ベルト体及び一次転写ローラ２が組み付けられる上扉10と、により構成される。
【００２３】
枠体30の後方端部には、上扉10が枠体30に対して装置後方に回動して開閉するように設けられたヒンジ101が配設される。また、枠体30の前方端部には、前扉20が枠体30に対して装置前方に回動して開閉するように設けられたヒンジ102が配設される。これらのヒンジ101、102により、上扉10と枠体30、前扉20と枠体30は互いに回動自在に組みつけられる。尚、上扉10には、開閉に伴って退避位置と保護位置とを移動する保護シャッタ（保護部材）103が配置される。画像形成装置の扉10、20の各状態における、シャッタ103の位置関係について説明する。
【００２４】
図１に示す状態は、画像形成時や待機時等の通常の状態である。このとき、上扉10及び前扉20は共に閉状態である。この場合、保護シャッタ103は、端部ローラ41ａの側方を覆わないように、端部ローラ41ａから退避した位置（退避位置）にある。
【００２５】
保護シャッタ103が退避位置にある状態では、中間転写ベルト41の端部ローラ41ａが二次転写ローラ３に当接する。このため、中間転写ベルト41の機能を妨げることはなく、画像形成プロセスにおいて中間転写ベルト41上のトナーは転写材Ｐへ転写される。
【００２６】
図２に示す状態は、ＪＡＭ（紙詰まり）処理の状態である。このとき、前扉20のみが開状態であり、上扉10は閉状態である。この場合、保護シャッタ103は、上扉10が閉状態のため退避位置のままである。即ち、矢印Ｃ方向に動かず、矢印Ｂ方向に保持されたままである。
【００２７】
ここで、保護シャッタ103の表面103ｆにはＪＡＭ処理ラベル111が貼付されている。ラベル111には、ＪＡＭ処理の方法が記載されており、ユーザがラベル111の指示に従って装置の搬送路25内に停滞している転写材Ｐを取り除くことが可能である。
【００２８】
図３に示す状態は、メンテナンス時の状態である。メンテナンス時においては、ユーザがプロセスカートリッジａ〜ｄや中間転写ベルト41を交換することができる。このとき、上扉10及び前扉20は共に開状態になる。この場合、上扉10の上方への回動と同時に、保護シャッタ103は矢印Ｃ方向に回動して端部ローラ41ａの側方まで移動し、中間転写ベルト41を保護する位置（保護位置）になる。
【００２９】
保護シャッタ103が保護位置にある状態では、保護シャッタ103の裏面103ｂがユーザから視認可能になる。ここで裏面103ｂには、指示ラベル112が貼付されている。ラベル112には、中間転写ベルト41の交換方法や取扱い方法、又はプロセスカートリッジａ〜ｄの交換方法や取扱い方法が記載されている。このため、ユーザはラベル112の指示に従って交換作業を行うことができる。
【００３０】
また、保護シャッタ103が中間転写ベルト41の端部ローラ41ａの近傍を保護している。このため、ユーザの手が上扉10にかかったときに中間転写ベルト41へ汚れが付着することや、傷がつくことを防止することができる。
【００３１】
（画像形成装置の扉10、20の開閉に伴うシャッタ103の動作）
次に保護シャッタ103の動作を詳細に説明する。図１０は保護シャッタ103の開閉機構10ａの斜視図であり、図１１は上扉10が閉状態の時の開閉機構10ａの状態図であり、図１２は上扉10が開状態の時の開閉機構10ａの状態図である。
【００３２】
図１０を用いて、開閉機構10ａの構成を説明する。図１０（ａ）に示すように、上扉10の下部に、保護シャッタ103の開閉機構10ａが配置されている。開閉機構10ａは、図１０（ｂ）に示すように、回動中心103ａを中心として回動する保護シャッタ103と、回動中心103ａに付帯されたギア103ｇとかみ合うピニオン104ｇを有するラック104と、回動中心105ａを中心として回動しラック104を前後に移動させるためのカム105と、上扉10の枠体側に固定されているカム当接面107を有する。
【００３３】
図１１を用いて、上扉10が閉状態の時、保護シャッタ103が開状態になっている状態を説明する。図１１（ａ）に示すように、上扉10が閉状態にあるとき、中間転写ベルト41を二次転写ローラ３に対して当接させるように、保護シャッタ103は開状態になっている。
【００３４】
図１１（ｂ）に示すように、カム当接面107が、カム105に当接している状態においては、カム105が図中Ｂ方向に付勢されている。このとき、ラック104も回動中心103ａのあるＢ方向に付勢されるため、保護シャッタ103の回動中心103ａは図中反時計回りに回動し、保護シャッタ103の退避位置に位置する。
【００３５】
図１２を用いて、上扉10が開状態の時、保護シャッタ103が閉状態になっている状態を説明する。図１２（ａ）に示すように、上扉10が開状態にあるとき、カム当接面107からカム105が開放される。
【００３６】
すると、図１２（ｂ）に示すように、バネ106によりカム105がＣ方向に回動し、ラック104はＣ方向にスライドする。このとき、ラック104のスライドにより、保護シャッタ103は、回動中心103ａのギア103ｇを介して退避位置からＣ方向へ回動し、中間転写ベルト41を保護する保護位置で停止する。
【００３７】
以上説明したように、保護シャッタ103は、上扉10の開閉に連動して回動する。そして、上扉10が閉状態では、保護シャッタ103は退避位置になり、上扉10が開状態では、保護シャッタ103は保護位置になる。
【００３８】
ここで、保護シャッタ103の表面103ｆには緩衝部材108が配置されている。このため、上扉10が開状態において、ユーザが誤って保護シャッタ103越しに中間転写ベルト41をつかんで、保護シャッタ103が中間転写ベルト41方向に付勢されたとしても、ベルト表面に傷がつくことを防止する構成となっている。
【００３９】
また、中間転写ベルト41を交換する際には、手動でカム105を退避位置に向かって回動させる。そして、カム105を不図示の引っ掛け部に固定することで、保護シャッタ103を開状態にする。これにより、中間転写ベルト41の端部ローラ41ａ側が露出するので、中間転写ベルト41が取り外しやすくなる。このように交換作業を容易にすることができる。
【００４０】
なお、保護シャッタ103が中間転写ベルト41を保護する領域は、中間転写ベルト41の露出している全領域が望ましい。但し、装置全体のサイズ、保護シャッタ103の退避領域、部品コスト、中間転写ベルト41の露出状態の危険度に応じて、保護する領域を決定する。
【００４１】
〔第２実施形態〕
図を用いて本発明の第２実施形態を説明する。図４乃至図６を用いて本実施形態の特徴的な構成について説明する。前述の実施形態と同様の構成については、同様の符号を付し説明を省略する。
【００４２】
図４は第２実施形態の画像形成装置の全体を説明する断面図であり、図５は第２実施形態の画像形成装置の前扉を開いた時の説明図であり、図６は第２実施形態の画像形成装置の前扉及び上扉を開いた時の説明図である。
【００４３】
図４に示すように、画像形成装置は、枠体30の上部近傍に位置するヒンジ101を中心に上方へ回動する上扉10と、上扉10に略水平に配置された感光体ベルト42と、斜め方向に構成される搬送路25と、感光体ベルト42の下部に配置された露光手段６と、搬送路25を正面に見た位置を前にしたときに、画像形成装置下部を回動中心として前側に開閉可能で搬送路25を含む前扉20と、枠体30側に配置された定着手段５とを有し、感光体ベルト42の保護シャッタ103が上扉10の端部近傍に配置される。
【００４４】
図４に示す状態は、画像形成時や待機時等の通常の状態である。このとき、上扉10及び前扉20は共に閉状態である。この場合、保護シャッタ103は、端部ローラ42ａの側方を覆わないように、端部ローラ42ａから退避した位置（退避位置）にある。
【００４５】
保護シャッタ103が退避位置にある状態では、中間転写ベルト42の端部ローラ42ａが二次転写ローラ３に当接する。このため、中間転写ベルト41の機能を妨げることはなく、画像形成プロセスにおいて中間転写ベルト41上のトナーは転写材Ｐへ転写される。
【００４６】
図５に示す状態は、ＪＡＭ（紙詰まり）処理の状態である。このとき、前扉20のみが開状態であり、上扉10は閉状態である。この場合、保護シャッタ103は、上扉10が閉状態のため退避位置のままである。
【００４７】
ここで、保護シャッタ103の退避位置の近傍で上扉10の上部には、ＪＡＭ処理ラベル111が貼付されている。ラベル111には、ＪＡＭ処理の方法が記載されており、ユーザがラベル111の指示に従って装置の搬送路25内に停滞している転写材Ｐを取り除くことが可能である。
【００４８】
図６に示す状態は、メンテナンス時の状態である。メンテナンス時においては、ユーザがプロセスカートリッジａ〜ｄや中間転写ベルト42を交換することができる。このとき、上扉10及び前扉20は共に開状態になる。この場合、上扉10の上方への回動と同時に、保護シャッタ103は矢印Ｃ方向にスライドして端部ローラ42ａの側方まで移動し、中間転写ベルト42を保護する位置（保護位置）になる。
【００４９】
保護シャッタ103が保護位置にある状態では、保護シャッタ103の表面103ｆがユーザから視認可能になる。ここで表面103ｆには、指示ラベル112が貼付されている。ラベル112には、感光体ベルト42の交換方法や取扱い方法、又はプロセスカートリッジａ〜ｄの交換方法や取扱い方法が記載されている。このため、ユーザはラベル112の指示に従って交換作業を行うことができる。
【００５０】
また、保護シャッタ103が感光体ベルト42の端部ローラ42ａの近傍を保護している。このため、ユーザの手が上扉10にかかったときに感光体ベルト42へ汚れが付着することや、傷がつくことを防止することができる。
【００５１】
尚、本実施形態において、ベルト体として感光体ベルト42を使用したが、第１実施形態のような中間転写ベルト41としてもよい。また、搬送路25は、斜めでなく略鉛直であってもよい。また、保護シャッタ103はスライド式でなく、回動式で保護シャッタ103自身の表裏にそれぞれその状態に応じたラベルを貼付け、ＪＡＭ処理やベルト体取扱の補助としてもよい。これらは、画像形成装置のサイズやコスト、品質に応じて異なる。
【００５２】
尚、本実施形態においては、保護シャッタ103はスライドして移動する方式であり、第１実施形態と異なるが、カム105の回動に伴ってラック104を移動させることで保護シャッタ103を機械的にスライドさせることに変わりはないため、説明を省略する。但し、スライドする構成であれば、一部に電磁的、電気的等の他の方式を用いて保護シャッタ103を移動させることも可能である。後述の実施形態も同様である。
【００５３】
〔第３実施形態〕
図を用いて本発明の第３実施形態を説明する。図７及び図８を用いて本実施形態の特徴的な構成について説明する。前述の実施形態と同様の構成については、同様の符号を付し説明を省略する。
【００５４】
図７は第３実施形態の画像形成装置の全体を説明する断面図であり、図８は第３実施形態の画像形成装置の前扉を開いた時の説明図である。
【００５５】
図７に示すように、画像形成装置は、枠体30の上部近傍に位置するヒンジ101を中心に上方へ回動する上扉10と、上扉10に略鉛直方向に構成される搬送路25と、枠体30の前方下部近傍に位置するヒンジ102を中心に前方へ回動する前扉20と、前扉20に略鉛直方向に配置される中間転写ベルト43と、中間転写ベルト43の側方に位置する枠体30に配置される露光手段６と、前扉20側に配置される定着手段５と、を有し、中間転写ベルト43の保護シャッタ103が、前扉20の上部後方に回動可能に配設される。
【００５６】
保護シャッタ103は、前扉20の開状態において、中間転写ベルト43の上端部から退避する退避位置から保護する保護位置にまで回動する構成となっている。前扉20を開状態にし始めたとき、保護シャッタ103の表面103ｆに張られた処理ラベル111が視認可能となる。ラベル111には、ＪＡＭ処理の方法が記載されており、ユーザがラベル111の指示に従って装置の搬送路25内に停滞している転写材Ｐを取り除くことが可能である。
【００５７】
また、図８に示すように、前扉20を開状態にして所定量以上開いたとき、保護シャッタ103が回動をして保護位置に移動する。すると、指示ラベル112が視認可能になる。指示ラベル112には、中間転写ベルト43の交換方法や取扱い方法、又はプロセスカートリッジａ〜ｄの交換方法や取扱い方法が記載されている。このため、ユーザはラベル112の指示に従って交換作業を行うことができる。
【００５８】
〔第４実施形態〕
図を用いて本発明の第４実施形態を説明する。図９を用いて本実施形態の特徴的な構成について説明する。前述の実施形態と同様の構成については、同様の符号を付し説明を省略する。図９は第４実施形態の画像形成装置の全体を説明する断面図である。
【００５９】
本実施形態においては、画像形成装置が、転写材搬送ベルト44を含む開閉扉10を有し、開閉扉10の開状態で転写材搬送ベルト44の保護シャッタ103が転写材搬送ベルト44を保護する位置に回動する構成となっている。
【図面の簡単な説明】
【００６０】
【図１】第１実施形態の画像形成装置の全体を説明する断面図。
【図２】第１実施形態の画像形成装置の前扉を開いた時の説明図。
【図３】第１実施形態の画像形成装置の前扉及び上扉を開いた時の説明図。
【図４】第２実施形態の画像形成装置の全体を説明する断面図。
【図５】第２実施形態の画像形成装置の前扉を開いた時の説明図。
【図６】第２実施形態の画像形成装置の前扉及び上扉を開いた時の説明図。
【図７】第３実施形態の画像形成装置の全体を説明する断面図。
【図８】第３実施形態の画像形成装置の前扉を開いた時の説明図。
【図９】第４実施形態の画像形成装置の全体を説明する断面図。
【図１０】保護シャッタの開閉機構の斜視図。
【図１１】上扉が閉状態の時の開閉機構の状態図。
【図１２】上扉が開状態の時の開閉機構の状態図。
【符号の説明】
【００６１】
Ｐ …転写材、
ａ …プロセスカートリッジ（画像形成部）、
ｂ …プロセスカートリッジ（画像形成部）、
ｃ …プロセスカートリッジ（画像形成部）、
ｄ …プロセスカートリッジ（画像形成部）、
５ …定着手段、
６ …露光手段、
10 …上扉、
10ａ …開閉機構、
20 …前扉、
25 …搬送路、
30 …枠体、
41 …中間転写ベルト（ベルト体）、
42 …感光体ベルト（ベルト体）、
43 …中間転写ベルト（ベルト体）、
44 …転写材搬送ベルト（ベルト体）、
101 …ヒンジ、
102 …ヒンジ、
103 …保護シャッタ（保護部材）、
108 …緩衝部材、
111 …処理ラベル（ラベル）、
112 …指示ラベル（ラベル）
【図１】
2006139068.tif 000003
【図２】
2006139068.tif 000004
【図３】
2006139068.tif 000005
【図４】
2006139068.tif 000006
【図５】
2006139068.tif 000007
【図６】
2006139068.tif 000008
【図７】
2006139068.tif 000009
【図８】
2006139068.tif 000010
【図９】
2006139068.tif 000011
【図１０】
2006139068.tif 000012
【図１１】
2006139068.tif 000013
【図１２】
2006139068.tif 000014